(57)【特許請求の範囲】
【請求項１】
内ケース（２）を外装するカバー（１）に表示カード（４）を固定する表示カード固定構造であって、
前記カバーに穿設され前記表示カードを保持する１対の保持部（１０ａ、１０ａ）を有する窓（１０）と、前記窓の外周（１１）において前記１対の保持部と実質的に直交する位置に前記窓の裏面（１０ｂ）方向に延設された少なくとも１対の弾性爪部（１２、１２）とを備え、
前記弾性爪部間距離（Ｘ）は、篏め込まれる前記表示カードの高さ（Ｙ）より短く、
前記内ケースは、前記カバーが篏合された状態で前記表示カードを前記カバーとの間で固定する押え面（２１）を有し、
前記押え面の高さは前記弾性爪部間距離以下であり、
前記裏面から前記少なくとも１対の弾性爪部の間を通して前記表示カードを前記窓に嵌め込んで仮止めすると共に、前記表示カードを前記内ケースの前記押え面および前記カバー間で挟着して固定することを特徴とする表示カード固定構造。
【発明の詳細な説明】
【０００１】
【発明の属する技術分野】
【０００２】
本発明は電子機器の筐体に採用される表示カード固定構造に係わり、特にカバー裏面に表示カードを固定する表示カード固定構造に関する。
【従来の技術】
【０００３】
図３に示すように、従来、インターホン子機等の電子機器筐体３０に、氏名等を記載した表示カード４を固定するには、電子部品（記載せず）を収納した内ケース１８にカバー１９が篏合されたのち、カバー１９に凹設された表示カード収納部１７に、表示カード４を挿着するが、その際、表示カード４の裏面または表示カード収納部１７に接着剤を塗布または貼付して固定を行っている。
【０００４】
または、図４に示すように、表示カード４を上から押さえる透明な表示カード押え１５に爪１４、１４を設け、カバー１９に凹設された表示カード収納部１７に、爪１４、１４が挿着される固定穴１６、１６を設け、表示カード４を表示カード収納部１７に収納し、上から表示カード押え１５をかぶせながらその爪１４を固定穴１６篏着して、表示カード４を筐体３０に固定している 。
【発明が解決しようとする課題】
【０００５】
しかしながら、従来の電子機器の表示カード固定構造においては、接着剤等を使用して固定する場合、表示カード４の裏面に接着剤を塗布または貼付する必要があって手間がかかり、さらに、表示カード４を交換する場合は容易でなく接着面を破壊しなければならないという難点があった。
【０００６】
また、表示カード押え１５を用いて表示カード４を固定する場合、表示カード押え１５という別部品が必要となり構成部品が増えるという難点があり、かつ、この表示カード押え１５は脱着が容易なため、いたずらなどにより表示カード４の盗難や紛失が生じるという難点もあった。
【発明の目的】
【０００７】
本発明は上述した難点に鑑みなされたもので、接着剤や別部品なしで表示カードをカバーに保持でき、固定後は盗難や紛失の虞れがなく、さらに表示カードの交換などの場合には容易に着脱でき、表示カードを内ケースおよびカバー間で固定できる表示カード固定構造を提供することすることを目的とする。
【課題を解決するための手段】
【０００８】
この目的を達成するため本発明の表示カード固定構造は、内ケースを外装するカバーに表示カードを固定する表示カード固定構造であって、カバーに穿設され表示カードを保持する１対の保持部を有する窓と、窓の外周において１対の保持部と実質的に直交する位置に窓の裏面方向に延設された少なくとも１対の弾性爪部とを備え、弾性爪部間距離は、篏め込まれる表示カードの高さより短く、内ケースは、カバーが篏合された状態で表示カードをカバーとの間で固定する押え面を有し、押え面の高さは弾性爪部間距離以下であり、裏面から少なくとも１対の弾性爪部の間を通して表示カードを窓に嵌め込んで仮止めすると共に、表示カードを内ケースおよびカバー間で挟着して固定するものである。
【０００９】
本発明の表示カード固定構造によれば、表示カードはカバーの窓と爪に挟着され仮止めされるので、別部品なしでも脱落しないし、表面からはずされるおそれもなく、表示カードを内ケースおよびカバー間で固定できる。
【発明の実施の形態】
【００１０】
以下、本発明の表示カード固定構造を好ましい実施例について図面にしたがって説明する。
【００１１】
本発明は、図１に示すように、インターホン子機等の電子機器筐体３に、氏名等を記載した表示カード４を固定する表示カード固定構造で、電子部品（図示せず）を収納した内ケース２を外装するために樹脂製のカバー１が篏合されて電子機器筐体３が構成される。
【００１２】
この電子機器筐体３に表示カード４を固定するため、カバー１には、表示カード４が挿着・保持される窓１０が穿設される。窓１０は縦または横何れかに１対の保持部１０ａ、１０ａを有する。
【００１３】
図２（ｂ）に示すように、保持部１０ａは表示カード４より窓１０が小さくなるよう、窓１０の幅Ｍは、表示カード４の幅Ｎよりやや小さく穿設されれば、窓の１対の保持部１０ａ、１０ａによって表側から表示カード４は押さえられることになる。窓の裏面１０ｂで表示カード４を覆う保持部１０ａを肉薄に構成し、表示カード４の対応する面４ａも肉薄に構成して窓１０における表示カード４の動きを防止すればより好適である。
【００１４】
窓１０の外周１１において、１対の保持部１０ａ、１０ａと実質的に直交する位置に、少なくとも１対の弾性爪部１２、１２が窓１０の裏面１０ｂ方向に延設される。
【００１５】
図１では２対の弾性爪部１２、１２が示されている。また、図１では弾性爪部１２を上下に、それに実質的に直交する保持部１０ａを左右に設けたが、上下左右を入れ替えても同様に好適である。
【００１６】
弾性爪部１２は、図２（ｃ）〜（ｅ）に示すように、脚部１３と、先端側で張り出した傾斜面１２ａ、１２ｃと、両者を結ぶ端面１２ｂとからなる。
【００１７】
図２（ｅ）に示すように、弾性爪部１２の端面１２ｂ、端面１２ｂ間距離Ｘは、そこに篏め込まれる表示カード４の高さＹよりやや短く構成され、弾性爪部１２の弾性に抗して表示カード４を嵌合したとき、裏面１０ｂ側はこの弾性爪部１２の端部１２ｂにひっかかり、カバー１の表面側は窓１０の１対の保持部１０ａ、１０ａに係止され、表示カード４は仮止めされることになる。
【００１８】
なお、カバー１は樹脂性であり、弾性爪部１２はこの構成部材からなるので、表示カード４が挿着された後、樹脂弾性により脚部１３の撓みはもとにもどる。
【００１９】
カバー１が篏合される内ケース２は、篏合された状態で表示カード４をカバー１との間で固定する押え面２１を有する。
【００２０】
以下に、本発明の表示カード固定構造について、その動作を説明する。
【００２１】
第２図（ｃ）に示すように、内ケース２の側から弾性爪部１２の弾性に抗して表示カード４を矢印方向（Ａ）に嵌め込んだ場合は、弾性爪部１２の脚部１３が撓むことにより、表示カード４の端部４１が弾性爪部１２の傾斜面１２ａをすべり、弾性爪部１２の端面１２ｂ傾斜を乗り越える。端面１２ｂを乗り越えた表示カード４の端部４１が弾性爪部１２の傾斜面１２ｃに当たるため、端面１２ｂにひかかってカバー１に保持され、カバー１の表面側は窓１０の１対の保持部１０ａ、１０ａに係止されて仮止めされる。
【００２２】
次いで、カバー１と内ケ−ス２を嵌合し、ねじＢを用いて両者を固着すれば、表示カード４は内ケース２の押え面２１およびカバー１間で、即ち電子機器筐体３に固定される。
【００２３】
第２図（ｄ）に示すように、表示カード４を矢印方向（Ｂ）に引き出す場合は、１２の脚部１３が撓むことにより表示カード４の端部４２が弾性爪部１２の傾斜面１２ｃをすべり、端面１２ｂを乗り越え、表示カード４を筐体３からはずすことができる。
【００２４】
本発明の表示カード固定構造によれば、表示カード４はカバー１の窓１０と弾性爪部１２に挟着されるので、別部品なしでも表示カード４は脱落しないし、筐体３の表面から外されることもない。カバー１の窓１０と弾性爪部１２により表示カード４を仮止めできて着脱自在なため、カバー１を内ケース２から外しさえすれば、表示カード４の交換や記入内容の変更がスムーズに行われる。
【発明の効果】
【００２５】
以上の説明から明らかなように、本発明の表示カード固定構造は、内ケースを外装するカバーに表示カードを固定する表示カード固定構造であって、カバーに穿設され表示カードを保持する１対の保持部を有する窓と、窓の外周において１対の保持部と実質的に直交する位置に窓の裏面方向に延設された少なくとも１対の弾性爪部とを備え、裏面から少なくとも１対の 弾性爪部の間を通して表示カードを窓に嵌め込んで仮止めされるので、表示カードはカバーの窓と爪に挟着され、別部品なしでも脱落しないし、表面からはずされるおそれもなく、表示カードの交換や記入内容の変更はスムーズに行われ、表示カードを内ケースおよびカバー間で固定できる。
【図面の簡単な説明】
【図１】  本発明の表示カード固定構造の一実施例を示す概略図である。
【図２】  （ａ）〜（ｅ）とも、本発明の表示カード固定構造を示す詳細図である。
【図３】  従来の表示カード固定構造を示す図である。
【図４】  従来の表示カード固定構造を示す図である。
【符号の説明】
１‥‥カバー
２‥‥内ケース
１０‥‥窓
１０ａ‥‥１対の保持部
１０ｂ‥‥窓の裏面
１１‥‥窓の外周
１２‥‥弾性爪部
４‥‥表示カード
Ｘ‥‥弾性爪部間距離
Ｙ‥‥表示カードの高さ
２１‥‥押え面
【図１】
0003762524.tif 000002
【図２】
0003762524.tif 000003
【図３】
0003762524.tif 000004
【図４】
0003762524.tif 000005